(57)【要約】【課題】  医療器具の長尺部分を巻回した状態で医療器具の保管および搬送が可能であり、しかも医療器具を取り出す際に医療器具が不潔部分に接触するおそれが少ない医療器具用容器を提供すること。【解決手段】  ハンドル部８と、当該ハンドル部８に接続される長尺部分１０とを有する医療器具６を収容するための医療器具用容器２である。この容器２は、下ケース２０と上ケース３０とを有し、下ケース２０には、ハンドル部８が収容されるハンドル部用凹部２２が形成してあると共に、長尺部分１０が少なくとも半周以上巻回して収容される巻回用凹部２４が形成してある。上ケース３０には、巻回用凹部２４における外周部の少なくとも１／４周以上を覆う巻回蓋部３４が形成してあり、しかも、下ケース２０に対して上ケース３０を取り付けるための接合部３６ａ，３６ｂが巻回蓋部３４の外周側に形成してある。【選択図】        図３
2008273575.tif 000002
【特許請求の範囲】
【請求項１】
ハンドル部と、当該ハンドル部に接続される長尺部分とを有する医療器具を収容するための医療器具用容器であって、
第１ケースと第２ケースとを有し、
前記第１ケースには、
前記ハンドル部が収容されるハンドル部用凹部が形成してあると共に、
前記長尺部分が少なくとも半周以上巻回して収容される巻回用凹部が形成してあり、
前記第２ケースには、
前記巻回用凹部における外周部の少なくとも一部を覆う巻回蓋部が形成してあり、
しかも、前記第１ケースに対して前記第２ケースを取り付けるための接合部が前記巻回蓋部の外周側に形成してある
医療器具用容器。
【請求項２】
前記第１ケースにおける前記巻回用凹部の底部には、巻回された前記長尺部分の内周側に位置する第１凸部が形成してあり、
前記第２ケースにおける巻回蓋部には、前記第１凸部に向けて突出する第２凸部が形成してある請求項１に記載の医療器具用容器。
【請求項３】
周方向に沿って前記ハンドル部用凹部に近い側の前記第２凸部の端部には、テーパ部が形成してある請求項２に記載の医療器具用容器。
【請求項４】
前記巻回用凹部における外周側壁には、当該巻回用凹部の底部に向けて突出高さが小さくなる抜け止め用凸部が形成してある請求項１〜３のいずれかに記載の医療器具用容器。
【請求項５】
前記第１ケースに対して前記第２ケースを着脱自在に取り付けるための接合部が前記巻回蓋部の外周側に少なくとも二以上で形成してあり、
前記ハンドル部用凹部に最も近い前記接合部が、その他の接合部に比較して外れやすく構成してある請求項１〜４のいずれかに記載の医療器具用容器。
【請求項６】
前記第２ケースは、前記ハンドル部用凹部を覆わないように構成してある請求項１〜５のいずれかに記載の医療器具用容器。
【請求項７】
前記長尺部分の先端には、医療用処置具が具備してあり、前記第１ケースには、前記医療用処置具を収容する処置具用凹部が形成してあり、
前記第２ケースには、前記処置具用凹部を覆う処置具蓋部が前記巻回蓋部に連続して形成してある請求項１〜６のいずれかに記載の医療器具用容器。
【発明の詳細な説明】
【技術分野】
【０００１】
本発明は、長尺部分を有する医療器具を収容するための医療器具用容器に係り、さらに詳しくは、医療器具を取り出す際に医療器具が不潔部分に接触するおそれが少ない医療器具用容器に関する。
【背景技術】
【０００２】
カテーテルのように長くて弾力性のある医療器具を商品として販売する場合には、カテーテルを医療器具用容器に入れて発送する。従来の医療器具用容器としては、下記の特許文献１にも示すように、カテーテルを巻いた状態で収容する下ケースと、下ケースの上面全体を覆うように着脱自在に取り付けられる上ケース蓋とを有するものが知られている。
【０００３】
従来の医療器具用容器において、カテーテルを取り出すときには、下ケースから上ケース蓋を取り外してから、ハンドル部分を手にとってカテーテルを取り出す。カテーテルを取り出す前には、カテーテルの長尺部分が下ケースの凹部に巻かれた状態であり、ハンドル部を下ケースから引き上げると、弾力性を有するカテーテルの長尺部分が収容する前の真っ直ぐな形状に戻ろうとする。
【０００４】
このために、カテーテルを取り出すときに、長尺部分が下ケースから跳ね上がることがある。そのため、カテーテルの長尺部分や、その長尺部分の先端に装着してある処置具部分などが、床や壁などの不潔な部分に触れてしまうことがあり、その場合には、そのカテーテルを使用することができなくなることもある。
【０００５】
【特許文献１】特開２００２−６８３０９号公報
【発明の開示】
【発明が解決しようとする課題】
【０００６】
本発明は、このような実状に鑑みてなされ、その目的は、医療器具の長尺部分を巻回した状態で医療器具の保管および搬送が可能であり、しかも医療器具を取り出す際に医療器具が不潔部分に接触するおそれが少ない医療器具用容器を提供することである。
【課題を解決するための手段】
【０００７】
上記目的を達成するために、本発明に係る医療器具用容器は、
ハンドル部と、当該ハンドル部に接続される長尺部分とを有する医療器具を収容するための医療器具用容器であって、
第１ケースと第２ケースとを有し、
前記第１ケースには、
前記ハンドル部が収容されるハンドル部用凹部が形成してあると共に、
前記長尺部分が少なくとも半周以上巻回して収容される巻回用凹部が形成してあり、
前記第２ケースには、
前記巻回用凹部における外周部の少なくとも一部を覆う巻回蓋部が形成してあり、
しかも、前記第１ケースに対して前記第２ケースを取り付けるための接合部が前記巻回蓋部の外周側に形成してある。
【０００８】
本発明に係る医療器具用容器では、医療器具を取り出す際に、第１ケースに対して第２ケースを取り外すことなく、医療器具のハンドル部を第１ケースから取り出すのみで良い。医療器具のハンドル部を第１ケースから取り出すと、巻回用凹部に収容してある医療器具の長尺部分は、ハンドル部に近い側から、巻回用凹部の内周側に位置する第１ケースと第２ケースとの隙間を押し広げて少しずつ取り出され、最後に、長尺部分の先端が取り出される。すなわち、巻回用凹部の内周側に位置する第１ケースと第２ケースとの隙間を押し広げて少しずつ取り出される部分以外で巻回用凹部に位置する長尺部分は、第１ケースと第２ケースとに挟まれることで跳ね上がりが制限される。
【０００９】
そのため、従来の医療器具用容器とは異なり、ハンドル部を手にとって長尺状の医療器具を片手で取り出す際にも、長尺部分が第１ケースから跳ね上がることがない。そのため、カテーテルの長尺部分や、その長尺部分の先端に装着してある処置具部分などが、床や壁などの不潔な部分に触れてしまうことも無い。
【００１０】
好ましくは、前記第１ケースにおける前記巻回用凹部の底部には、巻回された前記長尺部分の内周側に位置する第１凸部が形成してあり、
前記第２ケースにおける巻回蓋部には、前記第１凸部に向けて突出する第２凸部が形成してある。
【００１１】
このような構成にすることで、医療器具のハンドル部を第１ケースから取り出す際に、巻回用凹部に収容してある医療器具の長尺部分は、ハンドル部に近い側から、巻回用凹部の内周側に位置する第１凸部と第２凸部との隙間を押し広げて少しずつ取り出される。
【００１２】
好ましくは、周方向に沿って前記ハンドル部用凹部に近い側の前記第２凸部の端部には、テーパ部が形成してある。このような構成にすることで、医療器具のハンドル部を第１ケースから取り出す際に、巻回用凹部に収容してある医療器具の長尺部分は、ハンドル部に近い側から、巻回用凹部の内周側に位置する第１凸部と第２凸部との隙間を押し広げ易くなる。また、長尺部分がテーパ部に接触することで、長尺部分が無理に折り曲げられることを防止することができ、長尺部分をスムーズに取り出すことが可能になる。
【００１３】
好ましくは、前記巻回用凹部における外周側壁には、当該巻回用凹部の底部に向けて突出高さが小さくなる抜け止め用凸部が形成してある。このような構成にすることで、医療器具の長尺部分が、それ自身の弾力性により巻き解されようとしたとしても、抜け止め用凸部に引っかかり、何ら外力が作用しない状態では、巻回された長尺部分が巻回用凹部から飛び出すことを防止する。
【００１４】
好ましくは、前記第１ケースに対して前記第２ケースを着脱自在に取り付けるための接合部が前記巻回蓋部の外周側に少なくとも二以上で形成してあり、
前記ハンドル部用凹部に最も近い前記接合部が、その他の接合部に比較して外れやすく構成してある。
【００１５】
このような構成にすることで、片手でハンドル部を第１ケースから引き出すことで、巻回用凹部に収容してある医療器具の長尺部分が、ハンドル部に近い側から、巻回用凹部の内周側に位置する第１ケースと第２ケースとの隙間を押し広げ易くなる。
【００１６】
好ましくは、前記第２ケースは、前記ハンドル部用凹部を覆わないように構成してある。このような構成にすることで、片手でハンドル部を第１ケースから引き出す作業が容易になる。
【００１７】
好ましくは、前記長尺部分の先端には、医療用処置具が具備してあり、前記第１ケースには、前記医療用処置具を収容する処置具用凹部が形成してあり、
前記第２ケースには、前記処置具用凹部を覆う処置具蓋部が前記巻回蓋部に連続して形成してある。このような構成にすることで、長尺部分の先端に装着してある医療用処置具の部分が、第１ケースと第２ケースとに囲まれて保護される。
【００１８】
好ましくは第１ケースおよび第２ケースは、柔軟性および/または弾力性を有するプラスチックで構成される。医療器具のハンドル部を引き出して長尺部分を取り出す際に、巻回用凹部の内周側に位置する第１ケースと第２ケースとの隙間を押し広げ易くするためである。
【発明を実施するための最良の形態】
【００１９】
以下、本発明を、図面に示す実施形態に基づき説明する。
【００２０】
図１に示すように、本発明の一実施形態に係る医療器具用容器２は、医療器具６を収容するための容器であり、その医療器具６を収容している状態で、滅菌処理がなされた滅菌袋４により覆われて搬送される。図２に示すように、医療器具用容器２が病院の処置室などの使用場所に搬送されると、滅菌袋４が取り除かれる。
【００２１】
図３に示すように、医療器具用容器２に収容される医療器具６は、ハンドル部８と、そのハンドル部８に接続される長尺部分であるカテーテル１０とを有する。カテーテル１０の先端には、この実施形態では、ループ状電極１２などの医療用処置具が具備してある。カテーテル１０は、何ら外力が作用しない状態では、真っ直ぐな形状になるように成形されており、容器２の内部に収容される際に、円形に巻回されて収容される。容器２から取り出すと、実際には、カテーテル１０の弾性力により、カテーテル１０は、真っ直ぐな状態に戻るが、図３では、収容状態を示すために、円形に巻回してある。
【００２２】
図２および図３に示すように、容器２は、下ケース（第１ケース）２０と上ケース（第２ケース）３０とを有する。これらのケース２０および３０は、たとえばポリスチレン、ポリエチレンテレフタレートなどの合成樹脂で構成され、適度な弾力性を有する。下ケース２０は必ずしも透明ではなくても良いが、上ケース３０は、透明であることが好ましい。上ケース３０を透明にすることで、容器２に収容してある医療器具６の収容状態を外部から観察することができる。
【００２３】
図２〜図５に示すように、下ケース２０は、全体として長方形状のトレイであり、厚さ０．３〜１ｍｍ程度の合成樹脂シートに凹凸を設けることにより、後述する凹部２２，２４，２８や、凸部２５、接合部２６ａ，２６ｂなどが形成されている。下ケース２０は、たとえばプレス成形、真空成形などにより製造される。なお、上ケース３０も、下ケース２０と同様な成形法により成形される。上ケース３０および下ケース２０は、弾力性を有し、多少変形しても元の形状に戻る。
【００２４】
全体として長方形状の下ケース２０における一つの角部近くに形成してある凹部２２は、医療器具６のハンドル部８を着脱自在に収容するハンドル部用凹部である。このハンドル部用凹部２２に連続して形成される全体としてリング状の凹部２４は、巻回用凹部であり、医療器具６のカテーテル１０が、少なくとも半周以上巻回して収容される。図示する例では、この巻回用凹部２４には、カテーテルが１周半で巻回して収容される。
【００２５】
巻回用凹部２４の中央部には、円形凸部２３が形成してあり、円形凸部２３と凹部２４とで、下ケース２０の大部分の面積を占めている。この凹部２４には、カテーテル１０の先端部に具備してあるループ状電極１２を収容するための処置具用凹部２８が連続して形成してある。凹部２８は、長方形状の下ケースの角部に位置し、凹部２２の隣に位置する。
【００２６】
巻回用凹部２４の底部には、巻回されたカテーテル１０の内周側に位置する下凸部（第１凸部）２５が形成してある。巻回されたカテーテル１０は、それ自身の弾力性により、巻回用凹部２４の外周側壁に向けて広がろうとする。巻回用凹部２４の外周側壁には、周方向に沿って断続的に、巻回用凹部２４の底部に向けて突出高さが小さくなる抜け止め用凸部２７が形成してある。
【００２７】
したがって、カテーテル１０が、それ自身の弾力性により巻き解されようとしたとしても、抜け止め用凸部２７に引っかかり、何ら外力が作用しない状態では、巻回されたカテーテル１０が巻回用凹部２４から飛び出すことを防止することができる。
【００２８】
また、下ケース２０には、上ケース３０を取り付けるための接合部２６ａ，２６ｂが巻回用凹部２４の外周側に位置する下ケース平板部２０ａに形成してある。下ケース平坦部２０ａの外周側には、フランジ状の外縁２０ｂが下ケース２０の全周に沿って形成してある。
【００２９】
図２，図３および図６に示すように、上ケース３０は、下ケース２０とは異なる形状を有する。この上ケース３０は、下ケース２０における下ケース平板部２０ａに対応する上ケース平板部３０ａを有する。上ケース３０は、下ケース２０における外縁２０ｂの全周に対して一部が一致する外縁３０ｂを有する。上ケース３０の外縁３０ｂは、下ケース２０における長方形状の外縁２０ｂの一部を切り欠いた形状になっている。外縁３０ｂは、上ケース平板部３０ａの外側に形成してある。
【００３０】
また、上ケース３０には、下ケース２０における円形凸部２３を覆わないように避けるための円弧状切り欠き縁３０ｃが形成してある。また、上ケース３０には、下ケース２０におけるハンドル部用凹部２２を覆わないように避けるための切断縁３０ｄが形成してあり、この切断縁３０ｄが外縁３０ｂと円弧状切り欠き縁３０ｃとを結ぶようになっている。
【００３１】
また、上ケース３０には、下ケース２０における処置具用凹部２８を覆うための処置具蓋部３８が形成してある。この処置具蓋部３８は、上ケース平板部３０ａの一部となっている。処置具蓋部３８は、処置具用凹部２８を完全には覆わない形状であることが好ましく、処置具用凹部２８におけるハンドル部用凹部２２との隣接側上部を開けるように内側縁３０ｅが形成してある。内側縁３０ｅは、外縁３０ｂと円弧状切り欠き縁３０ｃとを結ぶように形成してある。
【００３２】
上ケース３０には、下ケース２０の巻回用凹部２４における外周部の少なくとも１／４周以上を覆う巻回蓋部３４が形成してある。巻回蓋部３４は、この実施形態では、下ケース２０の巻回用凹部２４の全周に対して約１／２周プラスα程度を覆い、巻回用凹部２４の全周に対して約１／４周程度を覆わないような形状を有する。この実施形態では、巻回蓋部３４は、上ケース平板部３０ａに対して下ケース２０側に突出しており、下ケース２０の巻回用凹部２４に対して緩く嵌合するようになっている。なお、「緩く嵌合」とは、図４に示すように、後述する隙間Ｃ１が形成されるように、取り付けられるという意味である。
なお、巻回蓋部３４が巻回用凹部２４を覆う範囲は、上記範囲に限定されることはなく、たとえば、巻回蓋部３４が巻回用凹部２４の全周を覆うようにしても良いし、巻回蓋部３４が巻回用凹部２４の１／４周以下の範囲を覆うようにしても良い。
【００３３】
巻回蓋部３４の内周側に位置する円弧状切り欠き縁３０ｃの曲率半径は、下ケース２０における円形凸部２３の半径と同等程度±１０％の寸法であることが好ましい。また、図４に示すように、上ケース３０と下ケース２０とが組み合わされた状態で、円弧状切り欠き縁３０ｃと円形凸部２３との間には、隙間Ｃ１が形成されることが好ましい。
【００３４】
また、上ケース３０には、下ケース２０に対して上ケース３０を着脱自在に取り付けるための接合部３６ａ，３６ｂが巻回蓋部３４の外周側に形成してある。接合部３６ａ，３６ｂは、巻回蓋部３４の内周側には形成されない。
【００３５】
これらの接合部３６ａ，３６ｂは、下ケース２０の接合部２６ａ，２６ｂに対応する位置に複数設けられ、これらの接合部２６ａ，２６ｂに対して凹凸嵌合することで、上ケース３０と下ケース２０とは着脱自在に取り付けられる。しかも、ハンドル部用凹部２２に最も近い接合部２６ａ，３６ａが、その他の接合部２６ｂ，３６ｂに比較して外れやすく構成してある。
たとえば接合部３６ａ，３６ｂの中央部を下側に凸形状に成形し、接合部２６ａ，２６ｂを上に向けて凹形状に成形し、これらが着脱自在に嵌め込み可能になっている。しかも、ハンドル部用凹部２２に最も近い接合部３６ａの外径を、他の凸形状の接合部３６ｂの外径よりも小さくしてある。あるいは、ハンドル部用凹部２２に最も近い凹形状の接合部２６ａの内径を、他の凹形状の接合部２６ｂの内径よりも大きくしてある。凸形状の接合部３６ｂの外径は、凹形状の接合部２６ｂの内径と略同一であり、接合部２６ａ、３６ａに比較してきつく嵌め合わされる。
【００３６】
図２〜図６に示すように、下ケース２０における巻回用凹部２４の底部には、巻回されたカテーテル１０の内周側に位置する下凸部２５が形成してあり、上ケース３０における巻回蓋部３４には、下凸部２５に向けて突出する上凸部（第２凸部）３５が形成してある。図４に示すように、上ケース３０と下ケース２０とが組み合わされた状態で、上凸部３５と下凸部２５との隙間Ｃ２は、カテーテル１０の外径よりも小さければ良く、上凸部３５と下凸部２５とが接触するようにしても良い。
【００３７】
また、図３に示すように、周方向に沿ってハンドル部用凹部２２に近い側の上凸部３５の端部３５ａには、テーパ部が形成してある。なお、同様に、下凸部２５の端部２５ａには、テーパ部が形成してあることが好ましいが、必ずしも無くても良い。テーパ部は、下ケース２０に上ケース３０を取り付けた状態で、ハンドル８に近づくにつれて、下ケース２０および上ケース３０の隙間が広がるように形成してある。
【００３８】
上ケース３０の巻回蓋部３４における外周壁部には、下ケース２０の抜け止め用凸部２７の上部に嵌合する凹部３７が形成してある。
【００３９】
本実施形態に係る医療器具用容器２では、図１に示す滅菌袋４を取り除いて医療器具６を容器２から取り出す際に、下ケース２０に対して上ケース３０を取り外すことなく、医療器具６のハンドル部８を下ケース２０の凹部２２から取り出すことができる。
【００４０】
医療器具６のハンドル部８を下ケース２０の凹部２２から取り出すと、巻回用凹部２４に収容してある医療器具６のカテーテル１０は、ハンドル部８に近い側から、巻回用凹部２４の内周側に位置する下凸部２５と上凸部３５との隙間Ｃ２を押し広げて少しずつ隙間Ｃ１から取り出される。
【００４１】
最後に、カテーテル１０の先端に具備してあるループ状電極１２が取り出される。すなわち、巻回用凹部２４の内周側に位置する下凸部２５と上凸部３５との隙間Ｃ２を押し広げて少しずつ隙間Ｃ１から取り出される部分以外で巻回用凹部２４に位置するカテーテル１０は、下ケース２０と上ケース３０とに挟まれることで跳ね上がりが制限される。
【００４２】
そのため、従来の医療器具用容器とは異なり、ハンドル部８を手にとってカテーテル１０を片手で取り出す際にも、カテーテル１０が下ケース２０から跳ね上がることがない。そのため、カテーテル１０や、その先端に装着してあるループ状電極１２などが、床や壁などの不潔な部分に触れてしまうことも無い。
【００４３】
また、本実施形態では、医療器具６を医療器具用容器２に取り付ける際には、図３に示すように、下ケース２０に対して上ケース３０を取り外した状態で取り付けることができるが、下ケース２０に対して上ケース３０を取り付けた状態でも行うことができる。すなわち、下ケース２０に対して上ケース３０を取り付けた状態で、医療器具６の取り出しと逆の動作を行うことで、医療器具６の収容作業を行うこともできる。
【００４４】
さらに、本実施形態では、周方向に沿ってハンドル部用凹部２２に近い側の下凸部２５の端部２５ａには、テーパ部が形成してある。このような構成にすることで、医療器具６のハンドル部８を下ケース２０から取り出す際に、巻回用凹部２４に収容してあるカテーテル１０は、ハンドル部８に近い側から、巻回用凹部２４の内周側に位置する下凸部２５と上凸部３５との隙間Ｃ２を押し広げ易くなる。また、カテーテル１０がテーパ状の端部３５ａに接触することで、カテーテル１０が無理に折り曲げられることを防止することができ、カテーテル１０をスムーズに取り出すことが可能になる。
【００４５】
また、巻回用凹部２４における外周側壁に、抜け止め用凸部２７が形成してあることから、カテーテル１０が、それ自身の弾力性により巻き解されようとしたとしても、抜け止め用凸部２７に引っかかり、何ら外力が作用しない状態では、巻回されたカテーテル１０が巻回用凹部２４から飛び出すことを防止する。
【００４６】
さらに、ハンドル部用凹部２２に最も近い接合部２６ａ，３６ａが、その他の接合部２６ｂ，３６ｂに比較して外れやすく構成してあることから、片手でハンドル部８を下ケース２０から引き出すことで、巻回用凹部２４に収容してある医療器具６のカテーテル１０が、ハンドル部８に近い側から、巻回用凹部２４の内周側に位置する下ケース２０と上ケース３０との隙間Ｃ１，Ｃ２を押し広げ易くなる。
【００４７】
さらにまた、上ケース３０は、ハンドル部用凹部２２の上を覆わないように構成してあるので、片手でハンドル部８を下ケース２０から引き出す作業が容易になる。ただし、本発明では、上ケース３０は、ハンドル部用凹部２２の上を覆うように構成することも可能である。
【００４８】
なお、本発明は、上述した実施形態に限定されるものではなく、本発明の範囲内で種々に改変することができる。
たとえば、カテーテル１０の先端には、ループ状電極１２以外に、バルーン、スネアなど、その他の医療用処置具が具備してあっても良い。
【００４９】
また、本発明では、上ケース３０と下ケース２０とは、接合部２６ａ，２６ｂ，３６ａ，３６ｂにて、着脱不可に接合してあっても良い。
【図面の簡単な説明】
【００５０】
【図１】図１は本発明の一実施形態に係る医療器具用容器の全体斜視図である。
【図２】図２は図１に示す滅菌袋を取り除いた医療器具用容器の全体斜視図である。
【図３】図３は図２に示す医療器具用容器の全体分解斜視図である。
【図４】図４は図２に示すIV−IV線に沿う断面図である。
【図５】図５は図３に示す下ケースの斜視図である。
【図６】図６は図３に示す上ケースの斜視図である。
【符号の説明】
【００５１】
２…  医療器具用容器
４…  滅菌袋
６…  医療器具
８…  ハンドル部
１０…  カテーテル
１２…  ループ状電極
２０…  下ケース
２２…  ハンドル部用凹部
２４…  巻回用凹部
２５…  下凸部
２６ａ、２６ｂ…  接合部
２８…  処置具用凹部
３０…  上ケース
３４…  巻回蓋部
３５…  上凸部
３６ａ、３６ｂ…  接合部
３８…  処置具蓋部
【図１】
2008273575.tif 000003
【図２】
2008273575.tif 000004
【図３】
2008273575.tif 000005
【図４】
2008273575.tif 000006
【図５】
2008273575.tif 000007
【図６】
2008273575.tif 000008